(57)【要約】【課題】  既存の内栓が装着された瓶にも装着することができ、簡易な構造を採用するとともに開封性を維持した瓶用栓を提供する。【解決手段】瓶の瓶口部に装着される内栓における内栓頭部の少なくとも縁部を覆う頂部と、前記頂部から延設され、前記内栓頭部の頭部側面から前記瓶口部を覆う側部とを備える瓶用栓であって、前記側部は、下端部から上方に向けて設けられる切込部と、前記切込部から連続するようにして上方に向けて設けられる薄肉部と、前記瓶口部と前記内栓の間に位置し、前記頂部との間で前記内栓の内栓頭部を挟持するよう前記側部の内側面に設けられる第１突起部と、前記瓶の環状凹部に係止するよう前記側部の内側面に設けられる第２突起部と、前記薄肉部が設けられる位置に対応して前記第１突起部及び前記第２突起部に設けられる間隙部とを備えることを特徴とする瓶用栓。【選択図】  図１
2014046919.tif 000002
【特許請求の範囲】
【請求項１】
瓶の瓶口部に装着される内栓における内栓頭部の少なくとも縁部を覆う頂部と、
前記頂部から延設され、前記内栓頭部の頭部側面から前記瓶口部を覆う側部とを備える瓶用栓であって、
前記側部は、
下端部から上方に向けて設けられる切込部と、
前記切込部から連続するようにして上方に向けて設けられる薄肉部と、
前記瓶口部と前記内栓の間に位置し、前記頂部との間で前記内栓の内栓頭部を挟持するよう前記側部の内側面に設けられる第１突起部と、
前記瓶の環状凹部に係止するよう前記側部の内側面に設けられる第２突起部と、
前記薄肉部が設けられる位置に対応して前記第１突起部及び前記第２突起部に設けられる間隙部と、
を備えることを特徴とする瓶用栓。
【請求項２】
前記薄肉部は、前記側部の外周に沿って周回する周回部と、周回間際に前記周回部から斜め上方へ向けて形成される傾斜部とが交互に連続的に形成される請求項１に記載の瓶用栓。
【請求項３】
前記切込部の一部を遮断して前記側部同士を連設する連設片が設けられる請求項１又は請求項２に記載の瓶用栓。
【発明の詳細な説明】
【技術分野】
【０００１】
本発明は、ガラス瓶等の瓶口部に装着される合成樹脂製の瓶用栓に関するものである。
【背景技術】
【０００２】
従来より、一升瓶や四合瓶のように、内容物を小出しすることが多い瓶の瓶口部は内栓で密閉されるとともに、未開封時において、内栓には金属製の瓶用栓が装着されている。しかしながら、金属製の瓶用栓においては、開封時に瓶用栓の先端部等で指先等を切ってしまう虞があった。
【０００３】
上記問題を解決するものとして、合成樹脂製の瓶用栓が公知である。例えば、頂壁に立設されて瓶口部の内側に挿着される内筒と、頂壁に内筒と同心状に立設されて瓶口部の外側を覆う外筒とを備える合成樹脂製の瓶用栓であって、外筒が切り取られて当該栓から除去される切取部と、瓶口部の係合部に係止する係止部を有し、切り取られずに残存する残余部とを備えるものが公知である（特許文献１参照）。
【０００４】
これにより、瓶口部の係合部に係止する係止部を有し、切り取られずに残存する残余部を備えている為、瓶口部への係止が確実なものとなり、瓶の内圧が急激に上昇しても、瓶用栓が抜けたり、飛び出したりすることを防止することができるものである。また、残余部は、開栓時の把持部として機能するので、残余部に指を掛け、斜め上方に引き上げることで、瓶との係止が容易に外れ、瓶口部から瓶用栓を容易に取り外すことができるものである。
【先行技術文献】
【特許文献】
【０００５】
【特許文献１】特開２００９−１６６８９６号
【発明の概要】
【発明が解決しようとする課題】
【０００６】
しかしながら、上記構造では、内筒と外筒とが一体に成型されているので、既存の内栓が装着された瓶には装着できないものであった。また、内筒と外筒の間には瓶口部の上端面に当接させる為のシール筒が設けられているので、複雑な形状に成型されることからコストの増大が懸念されるものであった。
【０００７】
そこで、本発明はこのような問題点を解決するものであって、既存の内栓が装着された瓶にも装着することができ、簡易な構造を採用するとともに開封性を維持した瓶用栓を提供することを課題とする。
【課題を解決するための手段】
【０００８】
前記問題点を解決するために、本発明の請求項１に記載の瓶用栓は、瓶の瓶口部に装着される内栓における内栓頭部の少なくとも縁部を覆う頂部と、前記頂部から延設され、前記内栓頭部の頭部側面から前記瓶口部を覆う側部とを備える瓶用栓であって、前記側部は、下端部から上方に向けて設けられる切込部と、前記切込部から連続するようにして上方に向けて設けられる薄肉部と、前記瓶口部と前記内栓の間に位置し、前記頂部との間で前記内栓の内栓頭部を挟持するよう前記側部の内側面に設けられる第１突起部と、前記瓶の環状凹部に係止するよう前記側部の内側面に設けられる第２突起部と、前記薄肉部が設けられる位置に対応して前記第１突起部及び前記第２突起部に設けられる間隙部とを備えるものである。
【０００９】
また、本発明の請求項２に記載の瓶用栓は、請求項１に記載の瓶用栓において、前記薄肉部は、前記側部の外周に沿って周回する周回部と、周回間際に前記周回部から斜め上方へ向けて形成される傾斜部とが交互に連続的に形成されるものである。
【００１０】
また、本発明の請求項３に記載の瓶用栓は、請求項１又は請求項２に記載の瓶用栓において、前記切込部の一部を遮断して前記側部同士を連設する連設片が設けられるものである。
【発明の効果】
【００１１】
本発明の瓶用栓では、第１突起部より上方の内側面と頂部の内側面により内栓の内栓頭部を保持し、第２突起部を環状凹部に係止することにより、瓶に装着することができるので、既存の内栓が装着された瓶にも装着することができる。
【００１２】
また、頂部にて内栓の縁部を保持することから、内栓の頭部上面が露呈するので、瓶用栓と内栓の配色を適宜変更させることで、意匠性に優れたものとすることができる。更には、外側面に沿って設けられる薄肉部により、側部を容易に破断し得ることから、従来と同様の開封性を維持した瓶用栓とすることができる。
【図面の簡単な説明】
【００１３】
【図１】本発明の実施例における瓶用栓の正面上方斜視図である。
【図２】本発明の実施例における瓶用栓の背面下方斜視図である。
【図３】本発明の実施例における瓶用栓の正面図である。
【図４】本発明の実施例における瓶用栓の背面図である。
【図５】本発明の実施例における瓶用栓の平面図である。
【図６】本発明の実施例における瓶用栓の底面図である。
【図７】本発明の実施例における瓶用栓の右側面図である。
【図８】本発明の実施例における瓶用栓の左側面図である。
【図９】本発明の実施例における瓶用栓の図７のＡ−Ａ断面図である。
【図１０】本発明の実施例における瓶用栓の図７のＢ−Ｂ断面図である。
【図１１】本発明の実施例における瓶用栓の使用状態を示す断面図である。
【図１２】本発明の実施例における瓶用栓の開封状態を示す斜視図である。
【発明を実施するための形態】
【００１４】
以下、本発明の実施の形態における瓶用栓を図面に基づいて説明する。当該瓶用栓において、ガラス瓶等の瓶口部が設けられる側を当該瓶用栓の上方とし、瓶底部が設けられる側を当該栓の下方とする。
【実施例】
【００１５】
本発明に係る瓶用栓１は、図１から図１０に示すように、内栓Ｂにおける内栓頭部Ｂ１の頭部上面Ｂ２を上方より覆う頂部２と、内栓頭部Ｂ１の頭部側面Ｂ３から瓶Ａの瓶口部Ａ１を覆うように頂部２の縁部から下方へ延設される側部３とから構成されるものである。すなわち、瓶用栓１は、一端部の縁部から内径方向に向けて頂部２が突出した略円筒状に形成される。瓶用栓１は、例えばポリプロピレン、具体的には低密度のポリプロピレン等の合成樹脂から形成される。
【００１６】
頂部２は、瓶Ａの瓶口部Ａ１に装着される内栓Ｂが瓶Ａから脱着しないように、内栓頭部Ｂ１を上方から覆設するものである。当該頂部２は、頭部上面Ｂ２の少なくとも縁部を覆設していればよい趣旨である。例えば、頂部２は、頭部上面Ｂ２の縁部に沿うようにして、所定の幅を有した環状に形成される。
【００１７】
側部３は、瓶用栓１が瓶Ａから脱着しないように瓶Ａの環状凹部Ａ２に装着されるものである。当該側部３は、頂部２の端部から下方へ延設されて形成される。また、図１〜図３及び図９に示すように、側部３には、外側面４から内側面５に至るまで切込部６が設けられる。切込部６は、側部３における略水平状の下端部から上方へ向けて設けられ、側部の一部を破断して摘み片７を形成するものである。
【００１８】
切込部６は、下端部から斜め上方に形成される曲線部６ａと、下端部と略平行に形成される直線部６ｂとから構成される。切込部６は、これに限られるものではなく、１つ以上の曲線部６ａから構成してもよいし、１つ以上の直線部６ｂから構成してもよく、これらを適宜組み合わせて構成することができるのは勿論である。また、切込部６における始点近傍の側部３は、略円弧状に形成されることが望ましい。
【００１９】
図１及び図２に示すように、摘み片７の外側面４には、開封方向を示す矢印等を設けることもできるし、摘み片７の外側面４、内側面５のうち、少なくともいずれか一方に滑り止め等を設けることもできる。
【００２０】
また、側部３の外側面４には、切込部６の終端から連続するようにして薄肉部８が設けられる。薄肉部８は、摘み片７を把持して開封方向に引き上げた際に、側部３を容易に破断し得るよう、側部３の上方に向けて外側面４の外周に沿って設けられる。
【００２１】
薄肉部８は、下端部と略平行であって側部３の外周に沿って周回し、周回間際における薄肉部８相互が連設することのない状態で斜め上方へ向けて形成され、再び下端部と略平行であって側部３の外周に沿って周回するよう形成される。すなわち、薄肉部８は、側部３の外周に沿って周回する周回部と、周回間際に周回部から斜め上方へ向けて形成される傾斜部とが交互に連続的に形成されるものである。これにより、開封時に薄肉部８により破断される破断片は、略一定の幅を有するようにして形成される。
【００２２】
具体的には、薄肉部８は、図１及び図３に示すようにして、切込部６の直線部６ｂから連続するようにして下端部と略平行に形成され、外側面４の外周に沿って設けられる。そして、切込部６の始点上方であって、摘み片７近傍まで周回したところで、薄肉部８は斜め上方に向けて形成されるとともに、摘み片７の上方位置にて下端部と略平行に形成される。後に、薄肉部８は、側部３における上方の外周に沿って、摘み片７近傍まで周回するよう形成される。薄肉部８は、これに限られることなく、破断片が略一定の幅を有することなく、単に螺旋状に形成してもよいし、その他適宜変更できるものである。
【００２３】
一方、側部３の内側面５には、上方に２段の突起部が設けられる。上段の突起部は第１突起部９とされ、下段の突起部は第２突起部１０とされる。第１突起部９は、瓶Ａに装着される内栓Ｂの内栓頭部Ｂ１と瓶Ａの瓶口部Ａ１との間に位置するものである。また、第２突起部１０は、瓶Ａの環状凹部Ａ２に係止されるものである。
【００２４】
第１突起部９及び第２突起部１０は、図９に示すように、所定の幅寸法を有してなり、一部に間隙部１１を設けて略環状に形成される。当該間隙部１１は、斜め上方へ向かう薄肉部８が設けられる位置に対応して形成される。これにより、第１突起部９及び第２突起部１０上には薄肉部８が設けられることがないので、側部３を摘み片７から破断させる際には、破断される他の薄肉部８と同様の引っ張り力を作用させることで開封することができる。
【００２５】
また、第１突起部９における上方の内側面４の径は、内栓頭部Ｂ１の径と略同等に形成される。また、第１突起部９と第２突起部１０の間に位置する内側面４の径は、瓶口部Ａ１の径と略同等に形成される。更に、第２突起部１０における下方の内側面４の径は、瓶Ａの径と略同等に形成される。
【００２６】
更に、切込部６の一部に、連設片１２を設けることもできる。連設片１２は、切込部６の一部を遮断して側部３同士を連設するようにして形成され、薄肉部８と同様にして容易に破断し得るように形成される。これにより、摘み片７の大きさを最小限に留めることができるので、未開封時における側部３の不用意な破断を防止することができる。
【００２７】
このようにして形成される瓶用栓１は、図１１に示すようにして、瓶Ａに装着される。具体的には、瓶Ａに内容物を充填した後、瓶口部Ａ１に内栓Ｂを装着する。そして、頂部２で頭部上面Ｂ２の縁部を上方より覆い、第２突起部１０が環状凹部Ａ２に係止した状態で閉栓される。このとき、瓶用栓１の内側面５は、瓶Ａの外周面、内栓Ｂの頭部側面Ｂ３に密着した状態となる。また、頂部２と第１突起部９によって、内栓Ｂの内栓頭部Ｂ１を挟持した状態となる。また、第１突起部９より上方の内側面５と頂部２の内側面により内栓Ｂを瓶用栓１に保持した状態で内容物を充填した瓶Ａに装着することもできる。
【００２８】
瓶用栓１の開栓においては、図１２に示すように、摘み片７を指で摘んで周方向に引き上げることにより、切込部６から連続して形成される薄肉部８が破断し、瓶用栓１が開封される。このとき、薄肉部８は、周回部と傾斜部とが連続して形成されるので、開封途中において分断されることがなく、頂部２と側部３とが一体となった状態で開封を行うことができる。これにより、廃棄作業が煩雑となることもない。
【００２９】
以上、説明した本発明に係る瓶用栓１によれば、第１突起部９より上方の内側面５と頂部２の内側面により内栓Ｂを保持し、第２突起部１０を環状凹部Ａ２に係止することにより、瓶Ａに装着することができるので、既存の内栓Ｂが装着された瓶Ａにも装着することができる。
【００３０】
また、頂部２にて内栓Ｂの縁部を保持することから、内栓Ｂの頭部上面Ｂ２が露呈するので、瓶用栓１と内栓Ｂの配色を適宜変更させることで、意匠性に優れたものとすることができる。更には、外側面４に沿って設けられる薄肉部８により、側部３を容易に破断し得ることから、従来と同様の開封性を維持した瓶用栓１とすることができる。
【００３１】
更に、切込部６、薄肉部８の形状、寸法、材質等を適宜変更して実施することが可能である。また、一部構成を省略することができるし、一部抽出した構成とすることができるのは勿論である。
【符号の説明】
【００３２】
１    瓶用栓
２    頂部
３    側部
４    外側面
５    内側面
６    切込部
７    摘み片
８    薄肉部
９    第１突起部
１０  第２突起部
１１  間隙部
１２  連設片
Ａ    瓶
Ａ１  瓶口部
Ａ２  環状凹部
Ｂ    内栓
Ｂ１  内栓頭部
Ｂ２  頭部上面
Ｂ３  頭部側面
【図１】
2014046919.tif 000003
【図２】
2014046919.tif 000004
【図３】
2014046919.tif 000005
【図４】
2014046919.tif 000006
【図５】
2014046919.tif 000007
【図６】
2014046919.tif 000008
【図７】
2014046919.tif 000009
【図８】
2014046919.tif 000010
【図９】
2014046919.tif 000011
【図１０】
2014046919.tif 000012
【図１１】
2014046919.tif 000013
【図１２】
2014046919.tif 000014